(57)【要約】  複数人のグループでエレベータを利用する場合であっても、利便性に優れ、且つ、運行効率の低下を防止することができるエレベータ群管理システムを提供する。このため、利用者が乗車前に行先階を登録する行先操作盤と、利用者がエレベータをグループで利用する旨を登録するためのグループ乗車登録装置とを、エレベータの乗場に設置する。また、利用者がエレベータをグループで利用する時の利用者人数を、利用者人数記憶部に予め記憶しておく。そして、行先操作盤による行先階の登録が、グループ乗車登録装置によるグループ利用の登録と共に行われた場合は、乗場行先呼びに対して割当てるかごを、利用者人数記憶部に記憶された利用者人数に基づいて決定する。
2009141900.tif 000002
【特許請求の範囲】
【請求項１】
複数台のエレベータを群管理制御するエレベータ群管理システムであって、
エレベータの乗場に設けられ、利用者が乗車前に行先階を登録する行先操作盤と、
前記乗場に設けられ、利用者がエレベータをグループで利用する旨を登録するためのグループ乗車登録装置と、
利用者がエレベータをグループで利用する時の利用者人数が予め記憶された利用者人数記憶部と、
前記行先操作盤による行先階の登録が、前記グループ乗車登録装置によるグループ利用の登録と共に行われた場合に、乗場行先呼びに対して割当てるかごを、前記利用者人数記憶部に記憶された利用者人数に基づいて決定する割当てかご決定部と、
を備えたことを特徴とするエレベータ群管理システム。
【請求項２】
各エレベータのかご内重量を検出するかご内重量検出装置と、
グループ乗車登録装置からグループ利用の登録を行った利用者が割当てかごに乗車した際に、前記かご内重量検出装置によって検出された前記割当てかごのかご内重量に基づいて、乗車前後に生じるかご内重量の増分を検出するかご内増加重量検出部と、
前記かご内増加重量検出部によって検出されたかご内重量の増分に基づいて、利用者人数記憶部に記憶されている利用者人数を最適化する利用者人数学習部と、
を備えたことを特徴とする請求項１に記載のエレベータ群管理システム。
【請求項３】
利用者人数記憶部は、エレベータの行先階毎に利用者人数が記憶され、
利用者人数学習部は、前記利用者人数記憶部に記憶されている利用者人数を、エレベータの行先階毎に最適化する
ことを特徴とする請求項２に記載のエレベータ群管理システム。
【請求項４】
割当てかご決定部が利用する利用者人数を、利用者人数記憶部に記憶された複数個の利用者人数の中から切り換えて設定する利用者人数切換部と、
を備え、
前記利用者人数記憶部は、所定の時間帯別に利用者人数が記憶され、
前記利用者人数切換部は、前記割当てかご決定部が利用する利用者人数を、前記所定の時間帯毎に対応の値に切り換える
ことを特徴とする請求項１に記載のエレベータ群管理システム。
【請求項５】
各エレベータのかご内重量を検出するかご内重量検出装置と、
グループ乗車登録装置からグループ利用の登録を行った利用者が割当てかごに乗車した際に、前記かご内重量検出装置によって検出された前記割当てかごのかご内重量に基づいて、乗車前後に生じるかご内重量の増分を検出するかご内増加重量検出部と、
前記かご内増加重量検出部によって検出されたかご内重量の増分に基づいて、利用者人数記憶部に記憶されている利用者人数を、所定の時間帯別にそれぞれ最適化する利用者人数学習部と、
を備えたことを特徴とする請求項４に記載のエレベータ群管理システム。
【請求項６】
エレベータの乗場に設けられ、車椅子を使用する利用者がエレベータを利用する旨を登録するための車椅子乗車登録装置と、
を備え、
利用者人数記憶部は、利用者がエレベータをグループで利用する時の第１利用者人数と車椅子を使用する利用者がエレベータを利用する時の第２利用者人数とが記憶され、
割当てかご決定部は、行先操作盤による行先階の登録が、グループ乗車登録装置によるグループ利用の登録及び前記車椅子乗車登録装置による車椅子利用の登録と共に行われた場合に、乗場行先呼びに対して割当てるかごを、前記利用者人数記憶部に記憶された第１利用者人数及び第２利用者人数の和に基づいて決定する
ことを特徴とする請求項１に記載のエレベータ群管理システム。
【請求項７】
割当てかご決定部は、行先操作盤による行先階の登録が、グループ乗車登録装置によるグループ利用の登録と共に行われた場合は、利用者人数記憶部に記憶された利用者人数分の空きがあるかごの中で最も高い応答評価値を有するかごに対して、乗場行先呼びを割当てることを特徴とする請求項１に記載のエレベータ群管理システム。
【請求項８】
割当てかご決定部は、行先操作盤による行先階の登録が、グループ乗車登録装置によるグループ利用の登録と共に行われた際に、全てのかごについて、利用者人数記憶部に記憶された利用者人数分の空きがない場合は、乗場行先呼びに対して割当てるかごを、乗車可能人数と所定の応答評価値との双方に基づいて決定することを特徴とする請求項７に記載のエレベータ群管理システム。
【発明の詳細な説明】
【技術分野】
【０００１】
この発明は、複数台のエレベータを群管理制御するエレベータ群管理システムであって、利用者がエレベータ乗場において行先階（乗場行先呼び）を登録することができるものに関する。
【背景技術】
【０００２】
エレベータの利用者が多いビル等では、同一ビル内に複数台のエレベータを設置し、全体としての運行効率を向上させるため、これら複数台のエレベータに対して群管理制御を行っている。このような群管理制御を行うエレベータ群管理システムの従来技術として、下記特許文献１に記載されたものがある。【０００３】
このエレベータ群管理システムでは、利用者が複数人のグループで快適にエレベータを利用することができるように、乗車前に行先階とそのグループの人数（利用者人数）とを登録できるように構成されている。即ち、グループの代表が、乗場の行先操作盤から行先階と利用者人数とを入力すると、群管理制御装置は、利用者人数分の空きがあるかごを、その乗場行先呼びに対して割当てる。【０００４】
【特許文献１】日本特表２００７−５１８６５２号公報
【発明の開示】
【発明が解決しようとする課題】
【０００５】
特許文献１に記載のものでは、利用者がグループでエレベータを利用する場合、そのグループの代表は、行先操作盤で利用者人数を入力する前に、利用者人数の確認作業を行わなければならなかった。このため、この確認作業が煩わしく、利便性に劣るといった問題があった。
また、利用者人数として大きな値を入力してしまうと、利用者は、その人数分の空きがかごに発生するまで、乗場で待たなければならなかった。かかる場合、割当かごに上記人数分の空きを作る必要もあり、運行効率が著しく低下してしまうといった問題もあった。【０００６】
この発明は、上述のような課題を解決するためになされたもので、その目的は、複数人のグループでエレベータを利用する場合であっても、利便性に優れ、且つ、運行効率の低下を防止することができるエレベータ群管理システムを提供することである。
【課題を解決するための手段】
【０００７】
この発明に係るエレベータ群管理システムは、複数台のエレベータを群管理制御するエレベータ群管理システムであって、エレベータの乗場に設けられ、利用者が乗車前に行先階を登録する行先操作盤と、乗場に設けられ、利用者がエレベータをグループで利用する旨を登録するためのグループ乗車登録装置と、利用者がエレベータをグループで利用する時の利用者人数が予め記憶された利用者人数記憶部と、行先操作盤による行先階の登録が、グループ乗車登録装置によるグループ利用の登録と共に行われた場合に、乗場行先呼びに対して割当てるかごを、利用者人数記憶部に記憶された利用者人数に基づいて決定する割当てかご決定部と、を備えたものである。
【発明の効果】
【０００８】
この発明によれば、複数台のエレベータを群管理制御するエレベータ群管理システムにおいて、複数人のグループがエレベータを利用する場合であっても、利便性に優れ、且つ、運行効率の低下を防止することができるようになる。
【図面の簡単な説明】
【０００９】
【図１】この発明の実施の形態１におけるエレベータ群管理システムを示す構成図である。
【図２】この発明の実施の形態１におけるエレベータ群管理システムの基本動作を示すフローチャートである。
【図３】この発明の実施の形態１におけるエレベータ群管理システムの他の動作を示すフローチャートである。
【図４】この発明の実施の形態１におけるエレベータ群管理システムの他の動作を示すフローチャートである。
【図５】この発明の実施の形態１におけるエレベータ群管理システムの他の動作を示すフローチャートである。
【符号の説明】
【００１０】
１  行先操作盤、  ２  行先操作釦、  ３  グループ釦、  ４  身障者釦、
５  群管理制御装置、  ６  制御装置、  ７  かご内重量検出装置、
８  かご内増加重量検出部、  ９  利用者人数記憶部、  １０  割当てかご決定部、
１１  グループ利用者人数算出部、  １２  利用者人数学習部、
１３  時間帯別利用者人数切換部
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。【００１２】
実施の形態１．
図１はこの発明の実施の形態１におけるエレベータ群管理システムを示す構成図、図２はこの発明の実施の形態１におけるエレベータ群管理システムの基本動作を示すフローチャート、図３乃至図５はこの発明の実施の形態１におけるエレベータ群管理システムの他の動作を示すフローチャートである。【００１３】
図１に示すエレベータ群管理システムは、同一ビル内等に設置された複数台のエレベータを群管理制御する機能を有している。図１において、１は各階のエレベータ乗場に設置された行先操作盤である。行先操作盤１は、エレベータの利用者が自分の行先階を乗車前に登録するための機能を有している。即ち、利用者が乗車前に行先操作盤１に対して所定の操作を行うことにより、乗場行先呼びが登録される。なお、図１では、行先操作盤１に０乃至９等からなる行先操作釦２が設置されている場合を示している。かかる場合、利用者は、この行先操作釦２を操作して、自分の行先階（乗場行先呼び）を登録する。【００１４】
各乗場に設けられた行先操作盤１には、上記行先操作釦２とは別に、グループ釦３と身障者釦４とが備えられている。グループ釦３は、利用者がエレベータを複数人のグループで利用する旨を登録するために操作する釦である。即ち、このグループ釦３はグループ乗車登録装置からなり、後述の群管理制御装置５に対して、利用者が複数人のグループでエレベータに乗車する旨を通知するための機能を有している。
身障者釦４は、車椅子等を使用する利用者がエレベータを利用する旨を登録するために操作する釦である。即ち、この身障者釦４は車椅子乗車登録装置からなり、群管理制御装置５に対して、利用者が車椅子等を使用している旨を通知するための機能を有している。【００１５】
群管理制御装置５は、同一ビル内等に設置された複数台のエレベータを群管理制御するための装置である。即ち、群管理制御装置５は、行先操作盤１等から入力される各種情報に基づいて各かごの応答評価値を演算し、応答評価値が最も高いかごに対して、乗場行先呼びを割当てる。そして、エレベータ制御装置６は、群管理制御装置５からの動作指令に基づいて、各エレベータの運行制御を実施する。
なお、図１に示す７は各エレベータ（のかご）に対応して備えられたかご内重量検出装置である。このかご内重量検出装置７は、かご内の積載重量を検出する機能を有し、例えば、かご床下や主ロープの端部等に取り付けられた秤装置によって構成される。また、８は各制御装置６に備えられたかご内増加重量検出部である。このかご内増加重量検出部８は、かご内重量検出装置７によって検出されたかご内重量に基づき、利用者の乗車前後に生じるかご内重量の増分を検出する機能を有する。【００１６】
上記群管理制御装置５は、利用者人数記憶部９、割当てかご決定部１０、グループ利用者人数算出部１１、利用者人数学習部１２、時間帯別利用者人数切換部１３を備えている。先ず、図１及び図２に基づき、上記群管理制御装置５の基本的な機能及び動作について説明する。【００１７】
利用者人数記憶部９には複数の記憶領域が備えられており、例えば、第１記憶領域に、利用者がエレベータをグループで利用する時の利用者人数が予め記憶されている。
また、割当てかご決定部１０は、乗場行先呼びに対して最適なかごを割当てる機能を有する。具体的に、割当てかご決定部１０は、行先操作盤１等から入力される各種情報に基づいて各かごの応答評価値を演算し、応答評価値が最も高いかごに対して、乗場行先呼びを割当てる。また、割当てかご決定部１０は、行先操作盤１による行先階の登録が、グループ釦３によるグループ利用の登録と共に行われた場合に、その乗場行先呼びに対して割当てるかごを、利用者人数記憶部９の第１記憶領域に記憶された利用者人数に基づいて決定する機能も有している。
以下、図２に基づき、その具体的な動作について説明する。【００１８】
利用者が複数人のグループでエレベータを利用する場合、そのグループの代表者は、乗場において、グループ釦３を操作してグループ利用の登録を行った後（Ｓ１０１）、行先操作釦２を操作して、グループの行先階を入力する（Ｓ１０２）。代表者による上記入力操作が終わると、行先操作盤１は、その入力情報、即ち、乗車階、行先階、グループ利用の各情報を群管理制御装置５に対して送信する（Ｓ１０３）。【００１９】
群管理制御装置５では、行先操作盤１から乗場行先呼び（乗車階及び行先階の各情報）と共にグループ利用の情報が入力されることにより、割当てかご決定部１０が、利用者人数記憶部９の第１領域から、予め記憶されている利用者人数を取得し、その利用者人数で乗車可能なかごがあるか否かの検索を行う（Ｓ１０４）。即ち、割当てかご決定部１０は、上記利用者人数分の空きがあるか否かの判定を、全てのかごに対して実施する。【００２０】
Ｓ１０４において乗車可能なかごが存在すると判定された場合、割当てかご決定部１０は、上記利用者人数分の空きがある各かごに対して応答評価値を演算し、その中で最も高い応答評価値を得たかごを、Ｓ１０２で登録された乗場行先呼びに対して割当てる（Ｓ１０５）。一方、Ｓ１０４において乗車可能なかごが存在しないと判定された場合、割当てかご決定部１０は、全てのかごについて応答評価値を演算し、乗車可能人数と応答評価値との双方を考慮して、Ｓ１０２で登録された乗場行先呼びに対する割当てを行う。即ち、乗車可能人数が多く、且つ応答評価値の高いかごに対して、上記乗場行先呼びを割当てる（Ｓ１０６）。
そして、エレベータ制御装置６は、Ｓ１０５又はＳ１０６における割当てに従い、各かごの運行を制御する（Ｓ１０７）。【００２１】
かかる構成によれば、利用者が複数人のグループでエレベータを利用する場合であっても、乗車前に利用者の人数確認を行う必要はなく、グループ釦３を押すといった簡単な操作のみによって、グループ利用の登録を行うことができる。また、グループ釦３が操作された際の利用者人数は予め利用者人数記憶部９に設定されており、且つ、その利用者人数で乗車可能なかごが存在しない場合は、乗車可能人数が多く、応答評価値の高いかごに対して乗場行先呼びが割当てられるため、利用者の待ち時間が長時間に渡る恐れもなく、運行効率の優れた群管理システムを提供することが可能となる。【００２２】
次に、上記利用者人数の学習機能について説明する。
この学習機能を実現するため、群管理制御装置５に上記グループ利用者人数算出部１１及び利用者人数学習部１２が、また、利用者人数記憶部９に、各種学習情報を記憶するための第２記憶領域が備えられている。【００２３】
上記グループ利用者人数算出部１１は、グループ釦３でグループ利用の登録を行った利用者の人数を、かご内増加重量検出部８からの情報に基づいて算出する機能を有する。具体的には、グループ釦３でグループ利用の登録を行った利用者が割当てかごに乗車する際に、乗車前のかご内重量と乗車後のかご内重量とを検出しておき、かご内増加重量検出部８によって、その乗車前後に生じるかご内重量の増分を検出する。そして、グループ利用者人数算出部１１は、かご内増加重量検出部８によって検出された上記かご内重量の増分に基づいて、上記グループの利用者の具体的な人数を算出する。
また、利用者人数学習部１２は、グループ利用者人数算出部１１によって算出された利用者の人数に基づいて、利用者人数記憶部９の第１領域に記憶されている利用者人数を最適化（更新）する。
以下、図３に基づき、その具体的な動作について説明する。【００２４】
図３のＳ２０１及びＳ２０２に示す動作は、図２のＳ１０１及びＳ１０２に示す動作と同じであるため、その説明は省略する。グループ利用の登録を伴う乗場行先呼びに対してかごが割当てられると、その割当てかごを制御する制御装置６のかご内増加重量検出部８は、Ｓ２０２において乗場行先呼びを登録した利用者が乗車する直前に、割当てかごのかご内重量を取得する。また、この利用者が乗車すると（Ｓ２０３）、その乗車直後にも、割当てかごのかご内重量を取得する。そして、かご内増加重量検出部８は、利用者が乗車する前後に取得した上記かご内重量に基づいて、利用者が乗車することによって生じたかご内重量の増加分を検出する（Ｓ２０４）。【００２５】
Ｓ２０４においてかご内重量の増分が検出されると、グループ利用者人数算出部１１は、そのかご内重量の増分を所定の平均体重で除することにより、Ｓ２０３で乗車した利用者の人数（推定値）を算出する（Ｓ２０５）。また、グループ利用者人数算出部１１は、Ｓ２０５の算出結果（推定値）を利用者人数記憶部９に送信し、上記第２領域に記憶させる（Ｓ２０６）。【００２６】
なお、利用者人数学習部１２には、利用者人数記憶部９の第１領域に記憶されている利用者人数を最適化（更新）するための学習タイミングが予め設定されている。例えば、第１領域内の利用者人数を１日１回更新する場合、学習タイミングとして所定の時刻（例えば、日付が変わる０時）が設定されている。即ち、現在時刻が０時になることにより、利用者人数を最適化するための動作が開始される。したがって、次の学習タイミングになるまでの間は、Ｓ２０１に戻り（Ｓ２０７のＮｏ）、Ｓ２０１乃至Ｓ２０５の動作を繰り返す。つまり、グループ利用の登録を伴う乗場行先呼びに対してかごが割当てられる度に、その利用者の人数（推定値）を利用者人数記憶部９の第２領域に記憶する。【００２７】
そして、上記学習タイミングになると（Ｓ２０７のＹｅｓ）、利用者人数学習部１２は、利用者人数記憶部９の第１領域内の利用者人数を最適化するための動作を開始する。具体的には、先ず、利用者人数記憶部９の第２領域に記憶されている利用者人数（Ｓ２０５で算出された利用者の人数）の平均値ＷＢを算出する（Ｓ２０８）。そして、得られた平均値ＷＢを用いて、次式に基づき、利用者人数記憶部９の第１領域に記憶されている利用者人数の更新を行う（Ｓ２０９）。
ＷＡ（ｎ＋１）＝（α×ＷＢ）＋（（１−α）×ＷＡ（ｎ））
ここで、
ＷＡ：グループ釦３を操作して乗車する利用者人数の予測値
ＷＢ：グループ釦３を操作して乗車する利用者人数の実測値（平均値）
α：利用者学習重み（０＜α＜１）
である。利用者学習重みαの値は、例えば、シミュレーション等を利用して適宜設定される。なお、上記αはその値が大きい程、最近の状態を重視することを意味している。【００２８】
そして、上記第１領域内の利用者人数の更新が終了した後、利用者人数記憶部９の第２領域がクリアされる（Ｓ２１０）。【００２９】
上記構成によれば、利用者人数記憶部９の第１領域に記憶しておく利用者人数を、最近の情報に対応して適宜更新することができる。このため、グループ釦３が押された場合に、人数分の空きがある最も適したかごをサービスすることが可能となる。なお、図３に示す方法は、上記学習機能の一例を示したものであり、他の方法を用いても構わない。【００３０】
また、上記学習機能は、グループ釦３が押された時の行先階に対応して個々に実施するように構成しても良い。かかる場合、利用者人数記憶部９の第１領域には、エレベータの行先階毎に利用者人数を記憶しておく。そして、利用者人数学習部１２は、利用者人数記憶部９の第１領域に記憶されている利用者人数を、エレベータの行先階毎に最適化（更新）する。即ち、図３に示す動作フローを、エレベータの行先階毎に実施する。【００３１】
次に、割当てかご決定部１０が利用する利用者人数を、エレベータの状態等に合わせて切り換えるための機能について説明する。
この利用者人数の切換機能を実現するため、群管理制御装置５に上記時間帯別利用者人数切換部１３が備えられている。また、利用者人数記憶部９の第１領域には、例えば、所定の時間帯別に、利用者人数が記憶されている。【００３２】
上記時間帯別利用者人数切換部１３は、グループ釦３が押された際に割当てかご決定部１０が利用する利用者人数を、利用者人数記憶部９の第１領域に記憶された複数個の利用者人数の中の１つに切り換えて設定する機能を有する。即ち、時間帯別利用者人数切換部１３は、割当てかご決定部１０が利用する利用者人数を、上記所定の時間帯毎に対応の値に切り換える。
以下、図４に基づき、その具体的な動作について説明する。【００３３】
図４のＳ３０１乃至Ｓ３０３に示す動作は、図２のＳ１０１乃至Ｓ１０３に示す動作と同じであるため、その説明は省略する。群管理制御装置５では、行先操作盤１から乗場行先呼びと共にグループ利用の情報が入力されることにより、先ず、時間帯別利用者人数切換部１３が、利用者人数記憶部９の第１領域に記憶された利用者人数を、現在の時刻に対応したものに切り換える（Ｓ３０４）。即ち、割当てかご決定部１０は、時間帯別利用者人数切換部１３によって切り換えられた利用者人数を取得し、その取得した利用者人数に基づいて、Ｓ３０５以下の動作を実施する。なお、図４のＳ３０５乃至Ｓ３０８に示す動作は、図２のＳ１０４乃至Ｓ１０７に示す動作と同じであるため、その説明は省略する。【００３４】
かかる構成によれば、所定の時間帯別に、グループ釦３が押された際の利用者人数を設定することができる。エレベータは時間帯によって利用される頻度が大きく異なり、例えば、出勤時や昼食時、帰宅時等といった所定の時間帯にはその使用頻度が多くなる。このため、上記構成によれば、グループ釦３が押された時間に応じて、最適なサービスを提供することが可能となる。即ち、乗場行先呼びに対して、利用者人数分の空きがある最も適したかごを割当てることができるようになる。【００３５】
なお、利用者人数記憶部９の第１領域に所定の時間帯別に利用者人数を記憶した場合であっても、上記学習機能を適用することは可能である。かかる場合、利用者人数学習部１２は、利用者人数記憶部９の第２領域に記憶されている上記所定の時間帯別の利用者人数に基づいて、第１領域に記憶されている利用者人数を、上記所定の時間帯別にそれぞれ最適化（更新）する。即ち、図３に示す動作フローを、上記所定の時間帯毎に実施すれば良い。【００３６】
次に、グループ釦３及び身障者釦４の双方が押された場合について説明する。
かかる場合に備えて、利用者人数記憶部９には、第１記憶領域の利用者人数（第１利用者人数）に加え、第３記憶領域に、車椅子を使用する利用者がエレベータを利用する時の利用者人数（第２利用者人数）が記憶されている。そして、割当てかご決定部１０は、行先操作盤１による行先階の登録が、グループ釦３によるグループ利用の登録と身障者釦４による車椅子利用の登録と共に行われた場合は、その乗場行先呼びに対して割当てるかごを、利用者人数記憶部９に記憶された上記第１及び第２利用者人数の和に基づいて決定する。
以下、図５に基づき、その具体的な動作について説明する。【００３７】
車椅子利用者を含む複数人の利用者がグループでエレベータを利用する場合、そのグループの代表者は、乗場において、先ず、グループ釦３及び身障者釦４を操作し、グループ利用の登録と車椅子利用の登録とを行う（Ｓ４０１）。また、上記代表者は、行先操作釦２を操作して、グループの行先階を入力する（Ｓ４０２）。代表者による上記入力操作が終わると、行先操作盤１は、その入力情報、即ち、乗車階、行先階、グループ利用、車椅子利用の各情報を群管理制御装置５に対して送信する（Ｓ４０３）。【００３８】
群管理制御装置５では、行先操作盤１から、乗場行先呼びと共にグループ利用及び車椅子利用の情報が入力されることにより、先ず、割当てかご決定部１０が、利用者人数記憶部９の第１領域及び第３領域から、上記第１利用者人数及び第２利用者人数を取得する。そして、割当てかご決定部１０は、取得した第１及び第２利用者人数の和を利用者人数の総数として、その総数で乗車可能なかごがあるか否かの検索を行う（Ｓ４０４）。即ち、割当てかご決定部１０は、上記利用者人数の総数分の空きがあるか否かの判定を、全てのかごに対して実施する。
なお、Ｓ４０５乃至Ｓ４０７に示す動作は、図２のＳ１０５乃至Ｓ１０７に示す動作と同じであるため、その説明は省略する。【００３９】
かかる構成によれば、車椅子利用者を含む複数人の利用者がグループでエレベータを利用する場合に、車椅子使用者の乗車スペースも考慮したかごの割当てが可能となり、人数分及び車椅子分の空きがある最も適したかごをサービスすることができるようになる。【００４０】
この発明の実施の形態によれば、上述したように、複数台のエレベータを群管理制御するエレベータ群管理システムにおいて、複数人のグループがエレベータを利用する場合であっても、利便性に優れ、且つ、運行効率の低下を確実に防止することができるようになる。
【産業上の利用可能性】
【００４１】
この発明に係るエレベータ群管理システムは、複数台のエレベータが群管理制御され、且つ、行先階とグループで利用する旨とを乗車前に登録可能なものに対して適用可能である。
【図１】
2009141900.tif 000003
【図２】
2009141900.tif 000004
【図３】
2009141900.tif 000005
【図４】
2009141900.tif 000006
【図５】
2009141900.tif 000007
【国際調査報告】
2009141900.tif 000008
2009141900.tif 000009
2009141900.tif 000010
2009141900.tif 000011